(57)【要約】本発明の目的は、簡易な構成で、１つのモーターをキャリッジの移動および原稿の搬送に共用することにある。当接部材は、プラテンガラスの第１端部の下方の第２位置側から移動する前記キャリッジをコンタクトガラスの下方の第１位置に停止させる。前記モーター、第１本体ギヤ（５３１）および第２本体ギヤ（５４１）は、前記キャリッジに支持される。前記第１本体ギヤおよび前記第２本体ギヤは、前記モーターに連動する。カバー入力ギヤ（５３２）は、前記キャリッジが前記第１位置から中継領域までの位置に存在する状態で前記第１本体ギヤと噛み合う。主ラックギヤ（５４２）は、前記キャリッジが前記中継領域から前記プラテンガラスの第２端部の下方の第３位置までの領域に存在する状態で前記第２本体ギヤと噛み合う。前記キャリッジを固定したときの前記モーターの負荷トルクは、前記カバー入力ギヤを固定したときの前記モーターの負荷トルクよりも大きい。
2020105440.tif 000002
【特許請求の範囲】
【請求項１】
イメージセンサーと、
コンタクトガラスと、
前記コンタクトガラスに並んで配置されたプラテンガラスと、
上方へ光を出射する発光部および前記発光部から出射した光の反射光を前記イメージセンサーへ導く導光部材を支持し、駆動力が加えられることにより、前記コンタクトガラスの下方の第１位置と、前記プラテンガラスにおける前記コンタクトガラス寄りの第１端部の下方の第２位置と、前記プラテンガラスにおける前記第１端部に対し反対側の第２端部の下方の第３位置と、に亘る予め定められた移動経路に沿って移動するキャリッジと、
前記キャリッジを収容し、上面に前記コンタクトガラスおよび前記プラテンガラスが配置された本体部と、
前記本体部の上面における前記コンタクトガラスおよび前記プラテンガラスを覆う閉位置と前記閉位置よりも前記本体部の上面から離れた開位置との間で変位可能に支持されたカバーと、
前記カバーに設けられ、駆動力が加えられることにより、前記カバーが前記閉位置に存在する状態において前記コンタクトガラスの上面に沿う位置を経由する搬送路に沿って原稿を搬送する複数組の搬送ローラー対と、
前記キャリッジおよび前記複数組の搬送ローラー対へ選択的に駆動力を加える駆動装置と、を備え、
前記駆動装置は、
前記本体部に設けられ、前記第２位置側から前記第１位置側へ移動する前記キャリッジに当接することによって前記キャリッジを前記第１位置に停止させる当接部材と、
前記キャリッジに支持されたモーターと、
前記キャリッジに支持され、それぞれ前記モーターに連動して回転する第１本体ギヤおよび第２本体ギヤと、
前記カバーに設けられ、前記キャリッジが前記第１位置から前記第１位置と前記第２位置との間における予め定められた中継領域までの位置に存在する状態で前記第１本体ギヤと噛み合うカバー入力ギヤと、
前記カバー入力ギヤに連動して前記複数組の搬送ローラー対を回転させるカバー出力ギヤと、
前記本体部において前記移動経路に平行に配置され、前記キャリッジが前記中継領域から前記第３位置までの領域に存在する状態で前記第２本体ギヤと噛み合うラックギヤである主ラックギヤと、を備え、
前記キャリッジが前記中継領域よりも前記第１位置側の位置に存在する状態において、前記キャリッジを固定したときに前記カバー入力ギヤの駆動のために前記モーターにかかる負荷トルクは、前記第１本体ギヤと噛み合う前記カバー入力ギヤを固定したときに前記キャリッジの移動のために前記モーターにかかる負荷トルクよりも大きい、画像読取装置。
【請求項２】
前記カバーに設けられ、前記カバー入力ギヤを前記カバー出力ギヤと噛み合う状態のまま前記第１本体ギヤに対し接近または離隔する方向に変位可能に支持する可動支持部材と、
前記カバーに設けられ、前記カバー入力ギヤを前記第１本体ギヤへ向けて弾性付勢する第１弾性部材と、をさらに備える、請求項１に記載の画像読取装置。
【請求項３】
前記本体部に設けられ、前記第１本体ギヤに連動して回転する第３本体ギヤと、
前記本体部に設けられ、前記キャリッジが前記第１位置から前記中継領域までの領域に存在するときの前記第３本体ギヤに対して前記移動経路に平行な状態で噛み合う係合位置と前記第３本体ギヤから離れる退避位置との間で変位可能に支持されたラックギヤである補助ラックギヤと、
前記本体部に設けられ、前記補助ラックギヤを前記係合位置へ向けて弾性付勢する第２弾性部材と、
前記本体部に設けられ、前記カバーが前記閉位置に存在するときに、前記カバーと接触することにより前記カバーから受ける力によって前記補助ラックギヤを前記第２弾性部材の弾性力に抗して前記退避位置へ変位させるリンク機構と、をさらに備え、
前記キャリッジが前記中継領域に存在し、かつ、前記カバーが前記閉位置に存在しない場合に、前記第２本体ギヤと噛み合う前記主ラックギヤおよび前記第３本体ギヤと噛み合う前記補助ラックギヤから前記キャリッジへ同じ方向の力が作用する、請求項１に記載の画像読取装置。
【請求項４】
請求項１に記載の画像読取装置と、
前記画像読取装置により原稿から読み取られる画像をシートに形成するプリント装置と、を備える画像形成装置。
【発明の詳細な説明】
【技術分野】
【０００１】
本発明は、原稿搬送およびキャリッジ移動の機能を有する画像読取装置およびそれを備える画像形成装置に関する。
【背景技術】
【０００２】
複写機、ファクシミリ装置または複合機などの画像形成装置は、画像読取装置とプリント装置とを備える。前記画像読取装置が、フラットベッド式画像読取処理と、原稿フィード式画像読取処理と、を選択的に実行する場合がある。【０００３】
前記フラットベッド式画像読取処理は、プラテンガラス上に載置された原稿から画像を読み取る処理である。前記フラットベッド式画像読取処理において、キャリッジ移動装置が、前記プラテンガラスの下方においてキャリッジを移動させる。一方、前記原稿フィード式画像読取処理は、ＡＤＦ（Automatic Document Feeder）によって搬送される原稿から画像を読み取る処理である。【０００４】
前記キャリッジ移動装置および前記ＡＤＦは同時に動作する必要がない。そのため、前記キャリッジ移動装置および前記ＡＤＦが、１つのモーターを共用することが考えられる。【０００５】
例えば、前記画像読取装置が、２つの遊星ギヤを含む機構を備えることにより、１つのモーターを前記キャリッジ移動装置および前記ＡＤＦを共用することが知られている（例えば、特許文献１参照）。【０００６】
具体的には、前記画像読取装置は、モーターにより駆動される太陽ギヤと噛み合う第１遊星ギヤを、前記ＡＤＦに動力を伝達する位置と前記キャリッジに動力を伝達する位置との間で往復移動させる。【０００７】
さらに、前記画像読取装置において、第２遊星ギヤおよび固定レバーなどを含む切替機構が、前記ＡＤＦが動作するときに、前記キャリッジの移動を制限する。
【先行技術文献】
【特許文献】
【０００８】
【特許文献１】特開２００６−８６８１７号公報
【発明の概要】
【発明が解決しようとする課題】
【０００９】
ところで、前記画像読取装置において、極力簡易な構成により、１つのモーターを前記キャリッジの移動および前記原稿の搬送に共用できることが望ましい。【００１０】
本発明の目的は、簡易な構成により、１つのモーターをキャリッジの移動および原稿の搬送に共用できる画像読取装置およびそれを備える画像形成装置を提供することにある。
【課題を解決するための手段】
【００１１】
本発明の一の局面に係る画像読取装置は、イメージセンサーと、コンタクトガラスと、プラテンガラスと、キャリッジと、本体部と、カバーと、複数組の搬送ローラー対と、駆動装置と、を備える。前記プラテンガラスは、前記コンタクトガラスに並んで配置されている。前記キャリッジは、上方へ光を出射する発光部および前記発光部から出射した光の反射光を前記イメージセンサーへ導く導光部材を支持する。前記キャリッジは、駆動力が加えられることにより、前記コンタクトガラスの下方の第１位置と、前記プラテンガラスにおける前記コンタクトガラス寄りの第１端部の下方の第２位置と、前記プラテンガラスにおける前記第１端部に対し反対側の第２端部の下方の第３位置と、に亘る予め定められた移動経路に沿って移動する。前記本体部は、前記キャリッジを収容する。前記本体部の上面には、前記コンタクトガラスおよび前記プラテンガラスが配置されている。前記カバーは、前記本体部の上面における前記コンタクトガラスおよび前記プラテンガラスを覆う閉位置と前記閉位置よりも前記本体部の上面から離れた開位置との間で変位可能に支持されている。前記複数組の搬送ローラー対は、前記カバーに設けられ、駆動力が加えられることにより、前記カバーが前記閉位置に存在する状態において前記コンタクトガラスの上面に沿う位置を経由する搬送路に沿って原稿を搬送する。前記駆動装置は、前記キャリッジおよび前記複数組の搬送ローラー対へ選択的に駆動力を加える。前記駆動装置は、当接部材と、モーターと、第１本体ギヤおよび第２本体ギヤと、カバー入力ギヤと、カバー出力ギヤと、主ラックギヤと、を備える。前記当接部材は、前記本体部に設けられ、前記第２位置側から前記第１位置側へ移動する前記キャリッジに当接することによって前記キャリッジを前記第１位置に停止させる。前記モーターは、前記キャリッジに支持されている。前記第１本体ギヤおよび第２本体ギヤは、前記キャリッジに支持され、それぞれ前記モーターに連動して回転する。前記カバー入力ギヤは、前記カバーに設けられ、前記キャリッジが前記第１位置から前記第１位置と前記第２位置との間における予め定められた中継領域までの位置に存在する状態で前記第１本体ギヤと噛み合う。前記カバー出力ギヤは、前記カバー入力ギヤに連動して前記複数組の搬送ローラー対を回転させる。前記主ラックギヤは、前記本体部において前記移動経路に平行に配置され、前記キャリッジが前記中継領域から前記第３位置までの領域に存在する状態で前記第２本体ギヤと噛み合うラックギヤである。前記キャリッジが前記中継領域よりも前記第１位置側の位置に存在する状態において、前記キャリッジを固定したときに前記カバー入力ギヤの駆動のために前記モーターにかかる負荷トルクは、前記第１本体ギヤと噛み合う前記カバー入力ギヤを固定したときに前記キャリッジの移動のために前記モーターにかかる負荷トルクよりも大きい。【００１２】
本発明の他の局面に係る画像形成装置は、前記画像読取装置と、プリント装置とを備える。前記プリント装置は、前記画像読取装置により原稿から読み取られる画像をシートに形成する。
【発明の効果】
【００１３】
本発明によれば、簡易な構成により、１つのモーターをキャリッジの移動および原稿の搬送に共用できる画像読取装置およびそれを備える画像形成装置を提供することが可能になる。
【図面の簡単な説明】
【００１４】
【図１】図１は、第１実施形態に係る画像読取装置を備える画像形成装置の構成図である。
【図２】図２は、第１実施形態に係る画像読取装置におけるキャリッジが第１位置に存在するときの駆動装置の正面図である。
【図３】図３は、第１実施形態に係る画像読取装置におけるキャリッジが中継領域に存在するときの駆動装置の正面図である。
【図４】図４は、第１実施形態に係る画像読取装置におけるキャリッジが第２位置に存在するときの駆動装置の正面図である。
【図５】図５は、第２実施形態に係る画像読取装置の駆動装置における補助駆動機構の正面図である（カバー閉状態）。
【図６】図６は、第２実施形態に係る画像読取装置の駆動装置における補助駆動機構の正面図である（カバー開状態）。
【発明を実施するための形態】
【００１５】
以下、図面を参照しながら、本発明の実施形態について説明する。なお、以下の実施形態は、本発明を具体化した一例であって、本発明の技術的範囲を限定するものではない。
【００１６】
［第１実施形態］
本発明の第１実施形態に係る画像読取装置１は、原稿９から複数のライン画像を順次読み取り、読み取った複数のライン画像を表す複数のライン画像データＬｄ１を順次出力する（図１参照）。
【００１７】
本実施形態において、画像読取装置１は、画像形成装置１０の一部として構成されている（図１参照）。
【００１８】
［画像形成装置１０の構成］
図１に示されるように画像形成装置１０は、画像読取装置１およびプリント装置２を備える。さらに、画像形成装置１０は、操作装置８ａ、表示装置８ｂおよび制御装置８を備える。
【００１９】
操作装置８ａ、表示装置８ｂおよび制御装置８は、画像読取装置１の一部であるとともに、プリント装置２の一部でもある。
【００２０】
プリント装置２は、シート９０に画像を形成するプリント処理を実行する。例えば、プリント装置２は、画像読取装置１により得られるライン画像データＬｄ１に基づく前記プリント処理を実行可能である。即ち、プリント装置２は、画像読取装置１により原稿９から読み取られる画像をシート９０に形成する処理を実行可能である。
【００２１】
プリント装置２は、シート搬送装置３および画像形成部４を備える。シート搬送装置３は、シート９０をシート搬送路３００に沿って搬送する。画像形成部４は、シート搬送装置３によって搬送されるシート９０に対して前記プリント処理を実行する。
【００２２】
図１に示される例では、画像形成部４は、電子写真方式の前記プリント処理を実行する。画像形成部において、帯電装置４２がドラム状の感光体４１の表面を帯電させ、光走査ユニット４３が感光体４１の表面に静電潜像を書き込む。
【００２３】
さらに、現像装置４４が前記静電潜像をトナー像へ現像し、転写装置４５が、シート９０に前記トナー像を転写し、定着装置４７が、前記トナー像をシート９０に定着させる。また、ドラムクリーニング装置４６が、感光体４１の表面に残存するトナーを除去する。なお、インクジェット方式などの他の方式で前記プリント処理を実行する装置が、プリント装置２として採用されてもよい。
【００２４】
画像読取装置１は、本体部１０１、カバー１０２、発光部１１、複数のミラー１２、レンズ１３、イメージセンサー１４、キャリッジ１１０、ガイドレール１１１、ＡＤＦ１５、コンタクトガラス１６、プラテンガラス１７、駆動装置５およびキャリッジセンサー６などを備える。ＡＤＦ１５は、原稿搬送装置の一例である。
【００２５】
コンタクトガラス１６、キャリッジ１１０、発光部１１、複数のミラー１２、レンズ１３およびイメージセンサー１４は、それぞれ主走査方向Ｄ１に延びて形成されている。
【００２６】
コンタクトガラス１６、キャリッジ１１０、発光部１１、複数のミラー１２、レンズ１３およびイメージセンサー１４の長手方向は主走査方向Ｄ１である。
【００２７】
プラテンガラス１７は、主走査方向Ｄ１および副走査方向Ｄ２に延びる矩形状の板ガラスである。副走査方向Ｄ２は、主走査方向Ｄ１に直交する方向である。
【００２８】
図１〜６において、図面に向かって奥行方向が主走査方向Ｄ１であり、図面に向かって左右の方向が副走査方向Ｄ２である。なお、主走査方向Ｄ１および副走査方向Ｄ２に直交する方向が高さ方向Ｄ３である。
【００２９】
本体部１０１は、キャリッジ１１０およびガイドレール１１１を収容する筐体である。コンタクトガラス１６およびプラテンガラス１７は、本体部１０１の上面において、副走査方向Ｄ２に並んで配置されている。
【００３０】
キャリッジ１１０は、発光部１１、複数のミラー１２、レンズ１３およびイメージセンサー１４を支持している。ガイドレール１１１は、コンタクトガラス１６およびプラテンガラス１７の下方において、キャリッジ１１０を副走査方向Ｄ２に沿って移動可能に支持する。
【００３１】
なお、キャリッジ１１０が、第１キャリッジおよび第２キャリッジからなり、前記第１キャリッジが発光部１１と複数のミラー１２の一部とを支持し、前記第２キャリッジが複数のミラー１２の残りの一部を支持する場合もある。この場合、レンズ１３およびイメージセンサー１４は、本体部１０１内で固定される。
【００３２】
前記第２キャリッジは、前記第１キャリッジに連動し、前記第１キャリッジの移動速度の２分の１の速度で副走査方向Ｄ２に沿って移動する。
【００３３】
発光部１１は、上方へ光を出射する。例えば、発光部１１は、主走査方向Ｄ１に沿って配列された複数のＬＥＤを含むＬＥＤアレイである。
【００３４】
また、発光部１１が、ＬＥＤ光源と主走査方向Ｄ１に沿って延びて形成された導光体とを含むことも考えられる。この場合、前記導光体は、前記ＬＥＤ光源の出射光を主走査方向Ｄ１に沿って導くとともに上方へ放射する。
【００３５】
複数のミラー１２およびレンズ１３は、発光部１１から出射した光の反射光をイメージセンサー１４へ導く。複数のミラー１２およびレンズ１３は、導光部材の一例である。
【００３６】
キャリッジ１１０は、駆動装置５から駆動力が加えられることにより、予め定められた移動経路に沿って移動する。即ち、ガイドレール１１１は、キャリッジ１１０を前記移動経路に沿って案内する。前記移動経路は、第１位置Ｐ１と第２位置Ｐ２と第３位置Ｐ３とに亘る経路である。前記移動経路は、副走査方向Ｄ２に沿う経路である。
【００３７】
第１位置Ｐ１は、コンタクトガラス１６の下方の位置である。第２位置Ｐ２は、プラテンガラス１７におけるコンタクトガラス１６寄りの第１端部の下方の位置である。第３位置Ｐ３は、プラテンガラス１７における前記第１端部に対し反対側の第２端部の下方の位置である。
【００３８】
キャリッジセンサー６は、第２位置Ｐ２に存在するキャリッジ１１０を検出するセンサーである。キャリッジ１１０には、キャリッジセンサー６により検出される被検出部１１０ａが設けられている（図２〜４参照）。被検出部１１０ａがキャリッジセンサー６に対向する位置に存在するときに、キャリッジセンサー６は、被検出部１１０ａを検出する。
【００３９】
例えば、キャリッジセンサー６が、本体部１０１内における第２位置Ｐ２に対応する位置に固定された反射型光センサーであることが考えられる。この場合、被検出部１１０ａは、前記反射型光センサーが出射する光を反射するミラーである。
【００４０】
また、キャリッジセンサー６が、例えばリミットスイッチなどの接触式センサーであることも考えられる。この場合、被検出部１１０ａは、キャリッジセンサー６の表面に形成された突起部である。
【００４１】
制御装置８は、キャリッジセンサー６がキャリッジ１１０を検出する状態から検出しない状態へ変化した時点からのモーター５１の回転方向および回転数によってキャリッジ１１０の位置を特定する。
【００４２】
発光部１１が出射する光が原稿９に照射され、複数のミラー１２およびレンズ１３が、原稿９に反射した反射光をイメージセンサー１４の受光部へ導く。その際、レンズ１３は、前記反射光をイメージセンサー１４の受光部へ集光する。
【００４３】
イメージセンサー１４は、前記反射光を受光し、前記反射光の光量を検出する。さらに、イメージセンサー１４は、前記反射光の光量の検出結果を表すライン画像信号Ｌａ１を出力する。
【００４４】
図１に示される例において、イメージセンサー１４は、ＣＣＤ（Charge Coupled Device）タイプのセンサーである。なお、光源と、Ｃ−ＭＯＳタイプのイメージセンサーと、レンズとがユニット化されたＣＩＳ（Contact Image Sensor）が採用されることも考えられる。この場合、キャリッジ１１０は前記ＣＩＳを支持する。
【００４５】
カバー１０２は、本体部１０１の上面における閉位置と前記閉位置よりも本体部１０１の上面から離れた開位置との間で変位可能に支持されている。前記閉位置は、コンタクトガラス１６およびプラテンガラス１７を上方から覆う位置である。
【００４６】
カバー１０２は、本体部１０１と不図示のヒンジによって連結されている。前記ヒンジは、カバー１０２を前記閉位置と前記開位置との間で回動可能に支持する。
【００４７】
ＡＤＦ１５は、カバー１０２に組み込まれている。カバー１０２が前記閉位置に存在するとき、即ち、カバー１０２がコンタクトガラス１６上を覆う状態であるときに、ＡＤＦ１５が動作する。
【００４８】
図１に示されるように、ＡＤＦ１５は、原稿搬送路１５０、供給トレイ１５１，原稿ピックアップ装置１５２、複数組の搬送ローラー対１５３および排出トレイ１５４を備える。
【００４９】
原稿搬送路１５０は、原稿９の搬送路であり、供給トレイ１５１に対向する入口から、コンタクトガラス１６の上面に沿う位置を経由し、排出トレイ１５４に対向する出口に至る湾曲経路に沿って形成されている。
【００５０】
複数組の搬送ローラー対１５３は、駆動装置５から駆動力が加えられることにより、カバー１０２が前記閉位置に存在する状態において、原稿搬送路１５０に沿って原稿９を搬送する。複数組の搬送ローラー対１５３は、予め定められた順回転方向へ回転することにより、原稿９を原稿搬送路１５０の入口側から出口側へ搬送する。
【００５１】
画像読取装置１は、フラットベッド式画像読取処理と、原稿フィード式画像読取処理と、を選択的に実行する。駆動装置５は、キャリッジ１１０および複数組の搬送ローラー対１５３へ選択的に駆動力を加える。
【００５２】
前記フラットベッド式画像読取処理は、プラテンガラス１７上に載置された原稿９から画像を読み取る処理である。前記フラットベッド式画像読取処理において、駆動装置５がキャリッジ１１０を第２位置Ｐ２と第３位置Ｐ３との間で往復移動させる。
【００５３】
発光部１１の光は、キャリッジ１１０の移動によってプラテンガラス１７上の原稿９に走査される。さらに、イメージセンサー１４が、原稿９における副走査方向Ｄ２の異なる位置で反射した前記反射光を順次受光する。
【００５４】
一方、前記原稿フィード式画像読取処理は、ＡＤＦ１５によって搬送される原稿９から画像を読み取る処理である。前記原稿フィード式画像読取処理において、駆動装置５は、キャリッジ１１０を第１位置Ｐ１まで移動させた後に停止させ、さらに、複数組の搬送ローラー対１５３を回転させる。
【００５５】
キャリッジ１１０が第１位置Ｐ１に位置する場合、発光部１１は、コンタクトガラス１６越しに原稿９へ向かう光を出射する。
【００５６】
原稿９が原稿搬送路１５０に沿って搬送されることにより、発光部１１の光が、コンタクトガラス１６の上面を通過する原稿９に走査される。
【００５７】
イメージセンサー１４は、原稿９がコンタクトガラス１６の上面を通過しているときに、原稿９に反射した前記反射光を受光する。そして、イメージセンサー１４は、原稿９に反射した前記反射光の検出光量を表すライン画像信号Ｌａ１を出力する。その際、イメージセンサー１４は、原稿９における副走査方向Ｄ２の異なる領域で反射した前記反射光に対応するライン画像信号Ｌａ１を順次出力する。
【００５８】
操作装置８ａは、人の操作を受け付ける装置であり、例えば、操作ボタンおよびタッチパネルを含む。表示装置８ｂは、情報を表示する装置であり、例えば、液晶表示ユニットなどのパネル表示装置を含む。
【００５９】
制御装置８は、各種のデータ処理、画像読取装置１の制御およびプリント装置２の制御を実行する。例えば、制御装置８は、駆動装置５を制御する。制御装置８は、アナログのライン画像信号Ｌａ１をデジタルのライン画像データＬｄ１へ変換するＡＦＥ（Analog Front End）８０を含む。
【００６０】
ところで、画像読取装置１において、極力簡易な構成により、１つのモーターをキャリッジ１１０の移動および原稿９の搬送に共用できることが望ましい。
【００６１】
駆動装置５は、簡易な構成により、１つのモーターをキャリッジ１１０の移動および原稿９の搬送に共用できる構成備える。
【００６２】
［駆動装置５］
以下、図２〜４を参照しつつ、駆動装置５の構成について説明する。なお、図２〜４において、キャリッジ１１０、本体部１０１、カバー１０２および複数組の搬送ローラー対１５３など、駆動装置５以外の構成要素が仮想線（二点鎖線）で示されている。
【００６３】
駆動装置５は、モーター５１と、モーターギヤ５２と、第１出力機構５３と、第２出力機構５４と、当接部材５５とを備える。
【００６４】
モーター５１と、第１出力機構５３の一部と、第２出力機構５４の一部とが、キャリッジ１１０に支持されている。第１出力機構５３の残りの一部は、カバー１０２に設けられている。当接部材５５と、第２出力機構５４の残りの一部とが、本体部１０１に設けられている。モーターギヤ５２は、モーター５１の回転軸に固定されている。
【００６５】
モーター５１は、例えばステッピングモーターなど、回転数を制御可能なモーターである。本実施形態において、モーター５１は、キャリッジ１１０の駆動および複数組の搬送ローラー対１５３の駆動に共用される。
【００６６】
第１出力機構５３は、モーターギヤ５２の回転に連動して複数組の搬送ローラー対１５３を回転させる。即ち、第１出力機構５３は、モーター５１の回転力を複数組の搬送ローラー対１５３へ伝達する。
【００６７】
第１出力機構５３は、第１本体ギヤ５３１と、カバー入力ギヤ５３２と、複数のカバー出力ギヤ５３３と、リンク部材５３４と、弾性部材５３５とを備える。弾性部材５３５は、第１弾性部材の一例である。
【００６８】
第１本体ギヤ５３１は、キャリッジ１１０によって回転可能に支持されている。第１本体ギヤ５３１は、モーターギヤ５２と噛み合う。従って、第１本体ギヤ５３１は、モーター５１に連動して回転する。
【００６９】
カバー１０２が前記閉位置に存在し、かつ、キャリッジ１１０が第１位置Ｐ１から予め定められた中継領域Ｐ４までの位置に存在する状態において、カバー入力ギヤ５３２は、第１本体ギヤ５３１と噛み合う（図２，３参照）。
【００７０】
中継領域Ｐ４は、第１位置Ｐ１と第２位置Ｐ２との間における一定の範囲を占める領域である。
【００７１】
カバー１０２が前記閉位置に存在し、かつ、キャリッジ１１０が第１位置Ｐ１から予め定められた中継領域Ｐ４までの位置に存在する状態において、カバー入力ギヤ５３２が回転しない場合、モーター５１の動作に応じて、キャリッジ１１０を前記移動経路に沿って移動させる力が、カバー入力ギヤ５３２から第１本体ギヤ５３１へ作用する。
【００７２】
複数のカバー出力ギヤ５３３の１つは、カバー入力ギヤ５３２と噛み合う第１カバー出力ギヤ５３３１である。複数のカバー出力ギヤ５３３の残りは、第１カバー出力ギヤ５３３１の回転力を複数組の搬送ローラー対１５３へ伝達する複数の第２カバー出力ギヤ５３３２である。
【００７３】
カバー入力ギヤ５３２は、カバー１０２において変位可能に設けられている。具体的には、カバー入力ギヤ５３２は、カバー１０２が前記閉位置に存在し、キャリッジ１１０が第１位置Ｐ１から中継領域Ｐ４までの領域に存在する状態において、第１本体ギヤ５３１に対し接近または離隔する方向に変位可能に設けられている。
【００７４】
本実施形態では、リンク部材５３４が、第１カバー出力ギヤ５３３１の回転軸によって回動可能に支持され、さらに、カバー入力ギヤ５３２の回転軸を回転可能に支持する。
【００７５】
第１カバー出力ギヤ５３３１の回転軸は一定の位置で支持されている。従って、カバー入力ギヤ５３２は、第１カバー出力ギヤ５３３１と噛み合う状態を維持しながら、第１本体ギヤ５３１に対し接近または離隔する方向に変位可能である。
【００７６】
即ち、リンク部材５３４は、カバー入力ギヤ５３２を第１カバー出力ギヤ５３３１と噛み合う状態のまま第１本体ギヤ５３１に対し接近または離隔する方向に変位可能に支持する。リンク部材５３４は、可動支持部材の一例である。
【００７７】
弾性部材５３５は、カバー入力ギヤ５３２を第１本体ギヤ５３１へ向けて弾性付勢する。例えば、弾性部材５３５はバネである。
【００７８】
図２に示される弾性部材５３５は圧縮コイルバネである。弾性部材５３５がねじりコイルバネまたは板バネなどの他の種類のバネであること、または、弾性部材５３５がゴムであることも考えられる。
【００７９】
従って、カバー１０２が閉められたときに、第１カバー出力ギヤ５３３１がカバー入力ギヤ５３２と一時的に噛み合わない状態となる場合でも、カバー１０２が前記閉位置から浮くことなく、第１カバー出力ギヤ５３３１が退避する。その後、第１本体ギヤ５３１が回転し始めるときに、第１カバー出力ギヤ５３３１がカバー入力ギヤ５３２と噛み合う。
【００８０】
複数のカバー出力ギヤ５３３は、カバー入力ギヤ５３２に連動して複数組の搬送ローラー対１５３を回転させる。即ち、第１カバー出力ギヤ５３３１が、カバー入力ギヤ５３２に従動して回転する。さらに、複数の第２カバー出力ギヤ５３３２が、第１カバー出力ギヤ５３３１に従動して回転することにより、複数組の搬送ローラー対１５３を回転させる。
【００８１】
第２出力機構５４は、モーター５１に連動してキャリッジ１１０を前記移動経路に沿って移動させる。即ち、第２出力機構５４は、モーター５１の回転力をキャリッジ１１０へ駆動力として伝達する。
【００８２】
本実施形態において、第２出力機構５４は、第２本体ギヤ５４１および主ラックギヤ５４２を備える。
【００８３】
第２本体ギヤ５４１は、キャリッジ１１０によって回転可能に支持されている。第２本体ギヤ５４１は、第１本体ギヤ５３１と噛み合う。従って、第１本体ギヤ５３１および第２本体ギヤ５４１は、キャリッジ１１０に支持され、それぞれモーター５１に連動して回転する。
【００８４】
主ラックギヤ５４２は、本体部１０１において前記移動経路に平行に配置されている。即ち、主ラックギヤ５４２は、副走査方向Ｄ２に沿って配置されている。
【００８５】
主ラックギヤ５４２は、キャリッジ１１０が中継領域Ｐ４から第３位置Ｐ３までの領域に存在する状態で第２本体ギヤ５４１と噛み合うラックギヤである。
【００８６】
従って、キャリッジ１１０が中継領域Ｐ４に存在するときに、第１本体ギヤ５３１とカバー入力ギヤ５３２とが噛み合い、かつ、第２本体ギヤ５４１と主ラックギヤ５４２とが噛み合う。
【００８７】
キャリッジ１１０が中継領域Ｐ４よりも第１位置Ｐ１側に存在する場合、第２本体ギヤ５４１は主ラックギヤ５４２から離れており、第１本体ギヤ５３１はカバー入力ギヤ５３２と噛み合っている。
【００８８】
即ち、キャリッジ１１０が中継領域Ｐ４よりも第１位置Ｐ１側に存在する場合、モーター５１が作動しても、主ラックギヤ５４２から第２本体ギヤ５４１へ力は作用しない。
【００８９】
なお、第１本体ギヤ５３１およびカバー入力ギヤ５３２は、カバー１０２が前記閉位置に存在することを条件に噛み合う。
【００９０】
以下の説明において、キャリッジ１１０が中継領域Ｐ４よりも第１位置Ｐ１側の位置に存在する状態のことを第１歯合状態と称する。前記第１歯合状態は、第１本体ギヤ５３１がカバー入力ギヤ５３２と噛み合っているが、第２本体ギヤ５４１が主ラックギヤ５４２と噛み合っていない状態である。
【００９１】
また、キャリッジ１１０が中継領域Ｐ４よりも第３位置Ｐ３側の位置に存在する状態のことを、第２歯合状態と称する。前記第２歯合状態は、第２本体ギヤ５４１が主ラックギヤ５４２と噛み合っているが、第１本体ギヤ５３１がカバー入力ギヤ５３２と噛み合っていない状態である。
【００９２】
また、キャリッジ１１０が中継領域Ｐ４に存在する状態のことを中継状態と称する。前記中継状態は、第１本体ギヤ５３１がカバー入力ギヤ５３２と噛み合っており、かつ、第２本体ギヤ５４１が主ラックギヤ５４２と噛み合っている状態である。
【００９３】
前記第１歯合状態において、キャリッジ１１０を固定したときにカバー入力ギヤ５３２の駆動のためにモーター５１にかかる負荷トルクは、第１本体ギヤ５３１と噛み合うカバー入力ギヤ５３２を固定したときにキャリッジ１１０の移動のためにモーター５１にかかる負荷トルクよりも大きい。
【００９４】
換言すれば、第１出力機構５３を通じて複数組の搬送ローラー対１５３を駆動するために必要なトルクは、第２出力機構５４を通じてキャリッジ１１０を移動させるために必要なトルクよりも大きい。
【００９５】
従って、前記第１歯合状態において、モーター５１が予め定められた第１回転方向へ回転すると、カバー入力ギヤ５３２は回転せず、キャリッジ１１０が、カバー入力ギヤ５３２から作用する力によって第１位置Ｐ１側から中継領域Ｐ４側へ移動する。
【００９６】
また、前記第１歯合状態において、モーター５１が前記第１回転方向の逆の第２回転方向へ回転すると、カバー入力ギヤ５３２は回転せず、キャリッジ１１０が、カバー入力ギヤ５３２から作用する力によって中継領域Ｐ４側から第１位置Ｐ１側へ移動する。
【００９７】
当接部材５５は、第２位置Ｐ２側から第１位置Ｐ１側へ移動するキャリッジ１１０に当接することによってキャリッジ１１０を第１位置Ｐ１に停止させる。即ち、当接部材５５は、モーター５１が前記第２回転方向へ回転しているときに、キャリッジ１１０に当接することにより、キャリッジ１１０が第１位置Ｐ１よりも第２位置Ｐ２側の反対側へ移動することを制限する。
【００９８】
前記第１歯合状態において、モーター５１が前記第２回転方向へ回転しているときに当接部材５５がキャリッジ１１０に当接すると、キャリッジ１１０が第１位置Ｐ１で停止する。さらに、カバー入力ギヤ５３２および複数のカバー出力ギヤ５３３が、第１本体ギヤ５３１から受ける力によって回転する。
【００９９】
従って、前記第１歯合状態において、モーター５１が前記第２回転方向へ回転すると、キャリッジ１１０が第１位置Ｐ１に到達している場合に、複数組の搬送ローラー対１５３が前記順回転方向へ回転する。
【０１００】
一方、前記第１歯合状態において、モーター５１が前記第１回転方向へ回転する場合、カバー入力ギヤ５３２は回転しない。従って、キャリッジ１１０が第１位置Ｐ１側から中継領域Ｐ４へ移動する。これにより、装置の状態が前記第１歯合状態から前記中継状態へ移行する。
【０１０１】
前記中継状態において、モーター５１が前記第１回転方向へ回転する場合、キャリッジ１１０は、カバー入力ギヤ５３２から第１本体ギヤ５３１へ加わる力と、主ラックギヤ５４２から第２本体ギヤ５４１へ加わる力とによって、中継領域Ｐ４から第２位置Ｐ２へ向かう方向へ移動する。これにより、装置の状態が前記中継状態から前記第２歯合状態へ移行する。
【０１０２】
前記第２歯合状態にいて、モーター５１が前記第１回転方向へ回転する場合、キャリッジ１１０は、主ラックギヤ５４２から第２本体ギヤ５４１へ加わる力によって、第２位置Ｐ２および第３位置Ｐ３へ向かう方向へ移動する。
【０１０３】
画像読取装置１において、キャリッジ１１０の初期位置は第２位置Ｐ２である。制御装置８は、モーター５１を動作させているときに、モーター５１の回転数をカウントすることにより、キャリッジ１１０の位置をリアルタイムで特定する。
【０１０４】
そして、制御装置８は、キャリッジ１１０を前記初期位置に位置決めする際に、モーター５１を動作させ、キャリッジ１１０が第２位置Ｐ２へ到達したときに、モーター５１を停止させる。キャリッジ１１０の第２位置Ｐ２への到達は、キャリッジセンサー６によって検出される。
【０１０５】
キャリッジ１１０が第２位置Ｐ２に位置決めされた後、前記フラットベッド式画像読取処理の開始イベントが発生したときに、制御装置８は、モーター５１を前記第１回転方向へ回転させる。これにより、キャリッジ１１０が第２位置Ｐ２から第３位置Ｐ３へ向けて移動する。
【０１０６】
さらに、制御装置８は、キャリッジ１１０が第３位置Ｐ３に到達したときに、モーター５１を前記第２回転方向へ回転させる。これにより、キャリッジ１１０の移動方向が反転し、キャリッジ１１０が第３位置Ｐ３から第２位置Ｐ２へ向けて移動する。
【０１０７】
そして、制御装置８は、キャリッジ１１０が第２位置Ｐ２に到達したときに、モーター５１を停止させる。
【０１０８】
また、キャリッジ１１０が第２位置Ｐ２に位置決めされた後、前記原稿フィード式画像読取処理の開始イベントが発生したときに、制御装置８は、モーター５１を前記第２回転方向へ回転させる。これにより、キャリッジ１１０が第２位置Ｐ２から中継領域Ｐ４を経て第１位置Ｐ１へ向けて移動する。
【０１０９】
そして、制御装置８は、キャリッジ１１０が第１位置Ｐ１へ到達した後も、モーター５１を前記第２回転方向へ回転させる。この場合、キャリッジ１１０が当接部材５５の当接によって停止し、第１出力機構５３が複数組の搬送ローラー対１５３を前記順回転方向へ回転させる。
【０１１０】
以上に示されるように、駆動装置５が採用されることにより、１つのモーター５１をキャリッジ１１０の移動および原稿９の搬送に共用できる。また、簡易な構造の第１出力機構５３および第２出力機構５４が採用されるだけで、それ以外の複雑な切替機構を設けることなく、モーター５１の共用機構を実現することができる。
【０１１１】
なお、前記第１歯合状態においてカバー１０２が開かれた場合、モーター５１が動作しても第１本体ギヤ５３１および第２本体ギヤ５４１が空回りする。そのため、キャリッジ１１０が動かない。
【０１１２】
制御装置８は、キャリッジ１１０を中継領域Ｐ４よりも第１位置Ｐ１側の領域で移動させる必要がある場合に、カバー１０２が前記閉位置に存在しないことが、不図示のカバーセンサーによって検出されたときに、予め定められた非常処理を実行する。
【０１１３】
前記非常処理は、モーター５１を停止させる処理と、予め定められたカバー閉メッセージを表示装置８ｂに表示させる処理とを含む。前記カバー閉メッセージは、ユーザーにカバー１０２を閉じることを促す処理である。
【０１１４】
さらに、制御装置８は、前記非常処理において、カバー１０２が前記閉位置に存在することが前記カバーセンサーによって検出されたときに、モーター５１の制御を再開する。
【０１１５】
［第２実施形態］
次に、図５，６を参照しつつ、第２実施形態に係る画像読取装置１Ａについて説明する。画像読取装置１Ａは、画像読取装置１に補助駆動機構５６が追加された構成を有している。補助駆動機構５６は、駆動装置５の一部である。
【０１１６】
補助駆動機構５６は、カバー１０２が前記閉位置に存在しない場合でも、キャリッジ１１０を中継領域Ｐ４よりも第１位置Ｐ１側の領域で移動させることを実現する機構である。
【０１１７】
補助駆動機構５６は、第３本体ギヤ５６１と、補助ラックギヤ５６２と、リンク部材５６３と、弾性部材５６４と、昇降部材５６５と、昇降部材ガイド５６６とを備える。補助駆動機構５６の構成要素は、本体部１０１に設けられている。
【０１１８】
第３本体ギヤ５６１は、第１本体ギヤ５３１と一体に形成されている。第３本体ギヤ５６１は、第１本体ギヤ５３１に連動して回転するギヤの一例である。
【０１１９】
補助ラックギヤ５６２は、係合位置と退避位置との間で変位可能に支持されたラックギヤである。図５は、前記係合位置に存在する補助ラックギヤ５６２の一例を示し、図６は、前記退避位置に存在する補助ラックギヤ５６２の一例を示す。
【０１２０】
補助ラックギヤ５６２は、前記係合位置に存在するときに、キャリッジ１１０が第１位置Ｐ１から中継領域Ｐ４までの領域に存在するときの第３本体ギヤ５６１に対して前記移動経路に平行な状態で噛み合う（図６参照）。
【０１２１】
一方、補助ラックギヤ５６２は、前記退避位置に存在するときに、第３本体ギヤ５６１から離れている（図５参照）。即ち、補助ラックギヤ５６２は、前記退避位置に存在するときに、第３本体ギヤ５６１と噛み合わない。
【０１２２】
弾性部材５６４は、補助ラックギヤ５６２を前記係合位置へ向けて弾性付勢する第２弾性部材の一例である。例えば、弾性部材５３５はバネである。
【０１２３】
図５，６に示される弾性部材５６４は圧縮コイルバネである。弾性部材５６４がねじりコイルバネまたは板バネなどの他の種類のバネであること、または、弾性部材５６４がゴムであることも考えられる。
【０１２４】
リンク部材５６３は、補助ラックギヤ５６２を前記係合位置と前記退避位置との間で変位可能に支持する。図５，６に示される例において、リンク部材５６３は、補助ラックギヤ５６２と一体に形成され、回転可能に支持されている。リンク部材５６３が回転することにより、補助ラックギヤ５６２が変位する。
【０１２５】
昇降部材５６５は、本体部１０１の上面から突出する位置において昇降可能に支持されている。昇降部材５６５の下端は、リンク部材５６３に当接している。
【０１２６】
昇降部材ガイド５６６は、昇降部材５６５を本体部１０１の上面から突出する突出位置と本体部１０１の上面に沿う上面位置との間で上下方向に沿って案内する。
【０１２７】
カバー１０２が前記閉位置に存在しない場合、補助ラックギヤ５６２は、弾性部材５６４の弾性力によって前記係合位置に保持される。
【０１２８】
補助ラックギヤ５６２が前記係合位置に保持されている状態でモーター５１が回転する場合、第３本体ギヤ５６１が補助ラックギヤ５６２から前記移動経路に平行な力を受ける。これにより、キャリッジ１１０は、第１位置Ｐ１から中継領域Ｐ４までの領域に存在する場合でも、モーター５１の動作に応じて移動する。
【０１２９】
また、キャリッジ１１０が中継領域Ｐ４に存在し、かつ、カバー１０２が前記閉位置に存在しない場合、第２本体ギヤ５４１と噛み合う主ラックギヤ５４２および第３本体ギヤ５６１と噛み合う補助ラックギヤ５６２からキャリッジ１１０へ同じ方向の力が作用する。
【０１３０】
従って、キャリッジ１１０が中継領域Ｐ４に存在する場合も、キャリッジ１１０は、モーター５１の動作に応じて移動する。その際、第３本体ギヤ５６１と噛み合う補助ラックギヤ５６２は、第２本体ギヤ５４１と主ラックギヤ５４２との噛み合いによるキャリッジ１１０の動きを阻害しない。
【０１３１】
一方、カバー１０２が前記閉位置へ変位するときに、昇降部材５６５は、カバー１０２から受ける圧力によって前記上面位置へ押し下げられる。
【０１３２】
昇降部材５６５がカバー１０２の荷重を受けて前記上面位置へ変位すると、昇降部材５６５の下端がリンク部材５６３を押し下げる。これにより、補助ラックギヤ５６２は、弾性部材５６４の弾性力に抗して前記待避位置へ変位する。これにより、補助ラックギヤ５６２と第１本体ギヤ５３１との歯合が解除される。
【０１３３】
従って、カバー１０２が前記閉位置に存在する場合、モーター５１の回転方向およびキャリッジ１１０の位置に応じて、キャリッジ１１０および複数組の搬送ローラー対１５３のいずれか一方が動作する。
【０１３４】
なお、リンク部材５６３、昇降部材５６５および昇降部材ガイド５６６は、カバー１０２が前記閉位置に存在するときに、カバー１０２と接触することによりカバー１０２から受ける力によって補助ラックギヤ５６２を弾性部材５６４の弾性力に抗して前記退避位置へ変位させるリンク機構の一例である。
【０１３５】
画像読取装置１Ａにおいて、駆動装置５が補助駆動機構５６を備えることにより、カバー１０２が前記閉位置に存在しない場合でも、キャリッジ１１０を中継領域Ｐ４よりも第１位置Ｐ１側の領域で移動させることができる。
【０１３６】
［応用例］
画像読取装置１Ａの駆動装置５において、第１本体ギヤ５３１が、第１本体ギヤ５３１に連動して回転する第３本体ギヤ５６１を兼ねることも考えられる。また、第３本体ギヤ５６１が、第１本体ギヤ５３１とは別体に設けられることも考えられる。
【図１】
2020105440.tif 000003
【図２】
2020105440.tif 000004
【図３】
2020105440.tif 000005
【図４】
2020105440.tif 000006
【図５】
2020105440.tif 000007
【図６】
2020105440.tif 000008
【国際調査報告】
2020105440.tif 000009
2020105440.tif 000010
2020105440.tif 000011
2020105440.tif 000012